(57)【要約】【課題】側面の一部を折り曲げて略水平にすることにより積み重ね可能とするトレーで、側面の一部を略水平に係止するための部材や略水平とされた側面の一部が突出して邪魔になることがなく、また、側面の一部を略水平に係止するための部材が容易に損傷することがなく、さらには、側面の一部を強く略水平に係止することができるものを提供する。【解決手段】側面部３０は、側面部本体４０と棚部５０とを有し、側面部本体４０は、下側領域４２と上側領域４４とを有し、棚部５０は、一対の切込みＫ１０の間に設けられた折れ線Ｃ５０を介して下側領域４２から連設された下側領域５２と、一対の切込みＫ１０の間に設けられた折れ線Ｃ５４を介して上側領域４４から連設されるとともに、折れ線Ｃ５２を介して下側領域５２から連設された上側領域５４とを有し、上側領域５４を下側領域４２に設けられた爪部４２Ｔに係止することにより上側領域５４が略水平となる。【選択図】図１
2017119532.tif 000002
【特許請求の範囲】
【請求項１】
シート状のブランクにより形成されたトレーであって、
互いに平行な相対する２つの辺部である特定辺部（１０ｃ、１０ｄ）を有する底面部（１０）と、
該２つの特定辺部からそれぞれ第１折れ線（Ｃ１３、Ｃ１４）を介して連設された側面部で、底面部から第１折れ線を介して連設された側面部本体（４０）と、該側面部における側面部本体よりも内側の領域に設けられた棚部（５０）とを有する側面部（３０）と、
を有し、
側面部本体は、底面部から第１折れ線を介して連設された第１下側領域（４２）と、第１下側領域の底面部とは反対側の辺部から第１折れ線と平行な第２折れ線（Ｃ４０）を介して連設された第１上側領域（４４）とを有し、
棚部は、該側面部に形成された一対の切目線（Ｋ１０）の間に設けられた第３折れ線（Ｃ５０）を介して第１下側領域から連設された第２下側領域（５２）と、一対の切目線の間に設けられた第４折れ線（Ｃ５４）を介して第１上側領域から連設されるとともに、第３折れ線と第４折れ線の間の位置に設けられた第５折れ線（Ｃ５２）を介して第２下側領域から連設された第２上側領域（５４）とを有し、第３折れ線と第４折れ線と第５折れ線は、第１折れ線と平行に形成されるとともに、第５折れ線の高さ方向の位置が、第２折れ線の高さ方向の位置よりも低く形成され、
第１下側領域における一対の切目線に沿った辺部には、爪部（４２Ｔ）が形成され、
第１上側領域を第１下側領域に対して外側に折曲することにより、第２下側領域が第１下側領域に対して第３折れ線を介して内側に回動するとともに、第２上側領域が第２下側領域に対して外側に回動し、第２上側領域を下方に押し込むことにより、第２上側領域の両側の辺部で第４折れ線に沿った辺部から連設された辺部が爪部に係止して、第２上側領域が底面部に対して略平行となることを特徴とするトレー。
【請求項２】
第２上側領域が爪部に係止した状態では、第２上側領域の第５折れ線側の端部は、上面視において、底面部の特定辺部で、第２上側領域から第２下側領域を介して連設された第１下側領域の下辺に沿った特定辺部よりも内側に突出することを特徴とする請求項１に記載のトレー。
【請求項３】
第３折れ線が一対の切目線の下端間に形成され、第４折れ線が一対の切目線の上端間に形成されていることを特徴とする請求項１又は２に記載のトレー。
【請求項４】
第２上側領域における一対の切目線に沿った辺部で第４折れ線の端部と第２折れ線の端部間の辺部である一対の第１辺部（５４ｃ）が、第４折れ線側から第２折れ線側にいくに従い一対の第１辺部間の距離が長くなるようにテーパ状に形成され、
第１下側領域の一対の切目線に沿った辺部で第２折れ線の端部から形成された一対の第２辺部（４２ｃ）が、下方にいくに従い一対の第２辺部間の距離が短くなるようにテーパ状に形成され、
第２辺部の下端から第３辺部（４２ｂ）が連設され、第３辺部は、第２辺部の下端から離れるに従い一対の第３辺部間の距離が長くなるように形成され、
第２辺部の下側部分と第３辺部とで爪部が形成されることを特徴とする請求項１又は２又は３に記載のトレー。
【請求項５】
一対の切目線が、切目線の上端から下端にまで連続して形成された切込みにより形成されていることを特徴とする請求項１又は２又は３又は４に記載のトレー。
【請求項６】
該側面部は、一対の該側面部間の距離が上方にいくほど長くなるように底面部に対して傾斜して設けられていることを特徴とする請求項１又は２又は３又は４又は５に記載のトレー。
【請求項７】
底面部は、特定辺部の方向と直角の方向に形成され互いに平行な２つの他の相対する辺部（１０ａ、１０ｂ）を有し、該他の相対する辺部からそれぞれ第２側面部（２０）が連設されていることを特徴とする請求項１又は２又は３又は４又は５又は６に記載のトレー。
【発明の詳細な説明】
【技術分野】
【０００１】
本発明は、紙製のトレーに関するものであり、特に、積み重ねて使用することができる紙製トレーに関するものである。
【背景技術】
【０００２】
従来より、トレーにおいて、側面の一部を折り曲げることにより積み重ねて使用することができるものとして、特許文献１のトレー状容器や特許文献２の段ボール製ケースが存在する。
【０００３】
すなわち、特許文献１のトレー状容器においては、フランジ３を外側に折り曲げることによりフランジ両翼の係止片４が容器の内側に突出し、反発力で内側に戻ろうとする妻板５を内側から係止させるものである。
【０００４】
また、特許文献２の段ボール製ケースにおいては、左右の側板３に接合用フラップ７が接合して設けられ、接合用フラップ７には係止用切欠き９が設けられ、底板支持用棚１０の両端に設けられた係止用つめ１１が係止用切欠き９に係止する。
【先行技術文献】
【特許文献】
【０００５】
【特許文献１】実公昭５６−１４１８０号公報
【特許文献２】特開２０１５−５４７２０号公報
【発明の概要】
【発明が解決しようとする課題】
【０００６】
しかし、特許文献２の段ボール製ケースにおいては、接合用フラップ７における係止用切欠き９の上側部分が露出して突出しているので、該切欠き９の上側部分が損傷しやすく、また、係止用つめ１１は、底板支持用棚１０の両側に露出して突出して形成されているので、損傷しやすく、よって、接合用フラップ７における係止用切欠き９の上側部分と係止用つめ１１の少なくともいずれかが損傷した場合には、底板支持用棚１０を水平に支持することができない。
【０００７】
また、特許文献２の段ボール製ケースにおいては、接合用フラップ７における係止用切欠き９の上側部分や係止用つめ１１が突出して露出して形成されているので、突出した部分が邪魔になるという問題があった。
【０００８】
また、特許文献１のトレー状容器においては、フランジ３の両翼の係止片４と、反発力で内側に戻ろうとする妻板５とを係止させるものであるが、妻板５が内側に戻ろうとする力は強くなく、係止片４と妻板５の係止を強固にすることができない。つまり、係止片４はフランジ３とともにフランジ３と側板２間の折れ線（回動軸）を介して回動し、係止片４と係止する妻板５は該回動軸に対して略直角な面であることから、係止片４の側方と係止することになり、係止片４と妻板５とを強固に係止させることができない。
【０００９】
また、特許文献１のトレー状容器においては、フランジ３を水平にした状態では、フランジ３が外側に突出するので、フランジ３が邪魔になるという問題があった。
【００１０】
そこで、本発明は、側面の一部を折り曲げて略水平にすることにより積み重ね可能とするトレーであって、側面の一部を略水平に係止するための部材や略水平とされた側面の一部が突出して邪魔になることがなく、また、側面の一部を略水平に係止するための部材が容易に損傷することがなく、さらには、側面の一部を強く略水平に係止することができるものを提供することを目的とする。
【課題を解決するための手段】
【００１１】
本発明は上記問題点を解決するために創作されたものであって、第１には、シート状のブランクにより形成されたトレーであって、互いに平行な相対する２つの辺部である特定辺部（１０ｃ、１０ｄ）を有する底面部（１０）と、該２つの特定辺部からそれぞれ第１折れ線（Ｃ１３、Ｃ１４）を介して連設された側面部で、底面部から第１折れ線を介して連設された側面部本体（４０）と、該側面部における側面部本体よりも内側の領域に設けられた棚部（５０）とを有する側面部（３０）と、を有し、側面部本体は、底面部から第１折れ線を介して連設された第１下側領域（４２）と、第１下側領域の底面部とは反対側の辺部から第１折れ線と平行な第２折れ線（Ｃ４０）を介して連設された第１上側領域（４４）とを有し、棚部は、該側面部に形成された一対の切目線（Ｋ１０）の間に設けられた第３折れ線（Ｃ５０）を介して第１下側領域から連設された第２下側領域（５２）と、一対の切目線の間に設けられた第４折れ線（Ｃ５４）を介して第１上側領域から連設されるとともに、第３折れ線と第４折れ線の間の位置に設けられた第５折れ線（Ｃ５２）を介して第２下側領域から連設された第２上側領域（５４）とを有し、第３折れ線と第４折れ線と第５折れ線は、第１折れ線と平行に形成されるとともに、第５折れ線の高さ方向の位置が、第２折れ線の高さ方向の位置よりも低く形成され、第１下側領域における一対の切目線に沿った辺部には、爪部（４２Ｔ）が形成され、第１上側領域を第１下側領域に対して外側に折曲することにより、第２下側領域が第１下側領域に対して第３折れ線を介して内側に回動するとともに、第２上側領域が第２下側領域に対して外側に回動し、第２上側領域を下方に押し込むことにより、第２上側領域の両側の辺部で第４折れ線に沿った辺部から連設された辺部が爪部に係止して、第２上側領域が底面部に対して略平行となることを特徴とする。
【００１２】
第１の構成においては、爪部は切目線を介して棚部と隣接しており、爪部を含む第２側面部はシート状に形成されているので、爪部が邪魔になることがなく、また、第２上側領域を爪部に係止した状態においても、第１下側領域において上向きに開口した切欠きの左右両側に形成されているので、爪部が邪魔になることがなく、爪部が容易に損傷することがない。また、第２上側領域は、爪部に係止した状態では、内側に突出した状態にはなるが、トレーの外側に突出するものではないため、邪魔にはならない。
【００１３】
また、第２上側領域の両側の辺部を爪部に係止させることにより、第２上側領域を水平に固定できるので、第２上側領域を強固に固定することができる。
【００１４】
また、第１上側領域を第１下側領域に対して外側に折曲することにより、第２上側領域を水平に近い状態とすることができるので、その後に第２上側領域を下方に押し込む操作を容易とすることができる。
【００１５】
なお、上記第１の構成において、第２上側領域が爪部に係止した状態では、第２下側領域が第２上側領域に対して傾斜した状態で第２上側領域を支持するものとしてもよい。
【００１６】
また、第２には、上記第１の構成において、第２上側領域が爪部に係止した状態では、第２上側領域の第５折れ線側の端部は、上面視において、底面部の特定辺部で、第２上側領域から第２下側領域を介して連設された第１下側領域の下辺に沿った特定辺部よりも内側に突出することを特徴とする。よって、第２上側領域の上面に該トレーと同大同形状のトレーの底面部を載置することができる。
【００１７】
また、第３には、上記第１又は第２の構成において、第３折れ線が一対の切目線の下端間に形成され、第４折れ線が一対の切目線の上端間に形成されていることを特徴とする。
【００１８】
また、第４には、上記第１から第３までのいずれかの構成において、第２上側領域における一対の切目線に沿った辺部で第４折れ線の端部と第２折れ線の端部間の辺部である一対の第１辺部（５４ｃ）が、第４折れ線側から第２折れ線側にいくに従い一対の第１辺部間の距離が長くなるようにテーパ状に形成され、第１下側領域の一対の切目線に沿った辺部で第２折れ線の端部から形成された一対の第２辺部（４２ｃ）が、下方にいくに従い一対の第２辺部間の距離が短くなるようにテーパ状に形成され、第２辺部の下端から第３辺部（４２ｂ）が連設され、第３辺部は、第２辺部の下端から離れるに従い一対の第３辺部間の距離が長くなるように形成され、第２辺部の下側部分と第３辺部とで爪部が形成されることを特徴とする。よって、一対の第３辺部がテーパ状に形成されているので、第３辺部が爪部に係止した際に強く係止することができる。また、一対の第４辺部はテーパ状に形成されているが、一対の第３辺部もテーパ状に形成されているので、第２上側領域を下方に押し込む際に、第２上側領域の第３辺部が第１下側領域の第４辺部に接した状態でも支障なくスライドすることができる。
【００１９】
また、第５には、上記第１から第４までのいずれかの構成において、一対の切目線が、切目線の上端から下端にまで連続して形成された切込みにより形成されていることを特徴とする。
【００２０】
また、第６には、上記第１から第５までのいずれかの構成において、該側面部は、一対の該側面部間の距離が上方にいくほど長くなるように底面部に対して傾斜して設けられていることを特徴とする。なお、第６の構成を以下のようにしてもよい。すなわち、「該側面部が第１折れ線と第２折れ線と第３折れ線と第４折れ線と第５折れ線を介して折曲されていない状態（１枚の平板状の状態としてもよい）において、該側面部は、一対の該側面部間の距離が上方にいくほど長くなるように底面部に対して傾斜して設けられていることを特徴とする。」としてもよい。
【００２１】
また、第７には、上記第１から第６までのいずれかの構成において、底面部は、特定辺部の方向と直角の方向に形成され（「特定辺部と直角をなす」としてもよい）互いに平行な２つの他の相対する辺部（１０ａ、１０ｂ）を有し、該他の相対する辺部からそれぞれ第２側面部（２０）が連設されていることを特徴とする。
【００２２】
また、第８の構成として以下のようにしてもよい。すなわち、「第２側面部は、一対の該第２側面部間の距離が上方にいくほど長くなるように底面部に対して傾斜して設けられていることを特徴とする請求項７に記載のトレー。」としてもよい。
【００２３】
また、第９の構成として以下のようにしてもよい。すなわち、「シート状のブランクにより形成されたトレーであって、互いに平行な相対する２つの辺部（１０ｃ、１０ｄ）を有する一方の辺部群と、該辺部と直角をなす互いに平行な他の相対する２つの辺部（１０ａ、１０ｂ）を有する他方の辺部群とを有する底面部（１０）と、一方の辺部群における各辺部からそれぞれ第１折れ線（Ｃ１３、Ｃ１４）を介して連設された第１側面部で、底面部から第１折れ線を介して連設された側面部本体（４０）と、第１側面部における側面部本体よりも内側の領域に設けられた棚部（５０）とを有する第１側面部（３０）と、他方の辺部群における各辺部からそれぞれ折れ線（Ｃ１１、Ｃ１２）を介して連設された第２側面部（２０）と、を有し、側面部本体は、底面部から第１折れ線を介して連設された第１下側領域（４２）と、第１下側領域の底面部とは反対側の辺部から第１折れ線と平行な第２折れ線（Ｃ４０）を介して連設された第１上側領域（４４）とを有し、棚部は、第１側面部に形成された一対の切目線（Ｋ１０）の間に設けられた第３折れ線（Ｃ５０）を介して第１下側領域から連設された第２下側領域（５２）と、一対の切目線の間に設けられた第４折れ線（Ｃ５４）を介して第１上側領域から連設されるとともに、第３折れ線と第４折れ線の間の位置に設けられた第５折れ線（Ｃ５２）を介して第２下側領域から連設された第２上側領域（５４）とを有し、第３折れ線と第４折れ線と第５折れ線は、第１折れ線と平行に形成されるとともに、第５折れ線の高さ方向の位置が、第２折れ線の高さ方向の位置よりも低く形成され、第１下側領域における一対の切目線に沿った辺部には、爪部（４２Ｔ）が形成され、第１上側領域を第１下側領域に対して外側に折曲することにより、第２下側領域が第１下側領域に対して第３折れ線を介して内側に回動するとともに、第２上側領域が第２下側領域に対して外側に回動し、第２上側領域を下方に押し込むことにより、第２上側領域の両側の辺部で第４折れ線に沿った辺部から連設された辺部が爪部に係止して、第２上側領域が底面部に対して略平行となることを特徴とするトレー。」としてもよい。
【発明の効果】
【００２４】
本発明に基づくトレーによれば、爪部は切目線を介して棚部と隣接しており、爪部を含む第２側面部はシート状に形成されているので、爪部が邪魔になることがなく、また、第２上側領域を爪部に係止した状態においても、第１下側領域において上向きに開口した切欠きの左右両側に形成されているので、爪部が邪魔になることがなく、爪部が容易に損傷することがない。また、第２上側領域は、爪部に係止した状態では、内側に突出した状態にはなるが、トレーの外側に突出するものではないため、邪魔にはならない。
【００２５】
また、第２上側領域の両側の辺部を爪部に係止させることにより、第２上側領域を水平に固定できるので、第２上側領域を強固に固定することができる。
【図面の簡単な説明】
【００２６】
【図１】トレーの斜視図である。
【図２】トレーの側面図である。
【図３】トレーの展開図である。
【図４】図３の要部拡大図である。
【図５】図３の要部拡大図である。
【図６】トレーの使用方法を示す平面図である。
【図７】積重ね可能状態とした場合のトレーの平面図である。
【図８】積重ね可能状態とした場合のトレーの斜視図である。
【図９】図７のＡ−Ａ断面図である。
【図１０】図７のＢ−Ｂ断面図である。
【図１１】積重ね可能状態とした場合のトレーの側面図である。
【図１２】トレーを積み重ねた状態を示す斜視図である。
【図１３】トレーの他の例を示す展開図である。
【図１４】トレーの他の例を示す展開図である。
【発明を実施するための形態】
【００２７】
本発明においては、側面の一部を折り曲げて水平にすることにより積み重ね容易とするトレーであって、側面の一部を水平に係止するための部材や水平とされた側面の一部が突出して邪魔になることがなく、また、側面の一部を水平に係止するための部材が容易に損傷することがなく、さらには、側面の一部を強く水平に係止することができるものを提供するという目的を以下のようにして実現した。
【実施例１】
【００２８】
本発明に基づくトレー（「紙製トレー」、「トレー状箱体」としてもよい）５は、図１〜図５に示すように構成され、底面部１０と、底面部１０の相対する辺部からそれぞれ連設された側面部２０と、底面部１０の他の相対する辺部からそれぞれ連設された側面部３０と、側面部３０の両側から折れ線を介して連設された糊代部６０とを有している。
【００２９】
トレー５は、１枚の紙製のシート状のブランク（具体的には段ボール製（特に、両面段ボール製）であり、厚紙等でもよい）により形成されている。なお、両面段ボールにおける中芯の段の方向は、図３に示す円内に示す方向（折れ線Ｃ１１、Ｃ１２と平行な方向）である。なお、中芯の段の方向は、他の方向としてもよい。
【００３０】
ここで、底面部１０は、方形状（具体的には、長方形状）を呈している。なお、底面部１０は、正方形であってもよい。底面部１０は、互いに平行な相対する２つの辺部１０ａ、１０ｂと、辺部１０ａ、１０ｂと直角をなす互いに平行な他の相対する辺部（特定辺部）１０ｃ、１０ｄとを有している。つまり、辺部１０ａ、１０ｂは、辺部１０ｃ、１０ｄの方向と直角の方向に形成されている。辺部１０ａと辺部１０ｂとで他方の辺部群が構成され、辺部１０ｃと辺部１０ｄとで一方の辺部群が構成される。
【００３１】
また、側面部（第２側面部）２０は、左右両側の辺部（Ｘ１側の辺部とＸ２側の辺部）から折れ線Ｃ１１、Ｃ１２を介して連設され、左側面側（Ｘ１側）の側面部２０と右側面側（Ｘ２側）の側面部２０とは左右線対称（Ｙ１−Ｙ２方向（辺部１０ａ、１０ｂと平行な方向）の中心線を介して線対称）である以外は同一の構成であるので、左側面側の側面部２０を例にとって説明すると、側面部２０は、台形形状に形成され、底面部１０の左側面側の辺部と一致して形成された直線状の辺部２０ａと、辺部２０ａの両側の端部（すなわち、底面部１０の左側面側の２つの角部）から形成された直線状の辺部２０ｂと、一対の辺部２０ｂの辺部２０ａとは反対側の端部間に形成された直線状の辺部２０ｃとにより囲まれた形状を呈している。なお、側面部２０においては、辺部２０ｂは一対設けられ、辺部２０ａと辺部２０ｃは平行に形成されている。
【００３２】
ここで、辺部２０ａは、底面部１０と側面部２０間の折れ線Ｃ１１と一致して形成されている。また、一対の辺部２０ｂは、該一対の辺部２０ｂ間の間隔が辺部２０ａから離れるに従い長くなるようにテーパ状に形成されている。つまり、辺部２０ａと辺部２０ｂ間の角度α１１は、鈍角を形成する。
【００３３】
また、側面部（第１側面部）３０は、前後両側の辺部（Ｙ１側の辺部とＹ２側の辺部）から折れ線（第１折れ線）Ｃ１３、Ｃ１４を介して連設されている。正面側（Ｙ１）の側面部３０と背面側（Ｙ２側）の側面部３０とは前後線対称である以外は同一の構成であるので、背面側の側面部３０（折れ線Ｃ１３から連設された側面部３０）を例に取って説明すると、側面部３０は、側面部本体４０と棚部５０とを有し、側面部本体４０は、底面部１０から折れ線を介して連設された下側領域４２と、下側領域４２から折れ線（第２折れ線）Ｃ４０を介して連設された上側領域４４とを有し、棚部５０は、側面部本体４０の下側領域４２から折れ線（第３折れ線）Ｃ５０を介して連設された下側領域５２と、下側領域５２から折れ線（第５折れ線）Ｃ５２を介して連設されるとともに側面部本体４０の上側領域４４から折れ線（第４折れ線）Ｃ５４を介して連設された上側領域５４とを有している。なお、側面部３０は、全体に左右線対称に形成され、側面部本体４０も左右線対称に形成され、棚部５０も左右線対称に形成されている。折れ線Ｃ４０、Ｃ５０、Ｃ５２、Ｃ５４は直線状の折れ線である。
【００３４】
ここで、側面部３０は、折れ線Ｃ１３と一致して形成された辺部３０ａと、辺部３０ａの両側の端部（すなわち、底面部１０の背面側の２つの角部）から形成された直線状の辺部３０ｂと、辺部３０ｂの上側の端部から形成された直線状の辺部３０ｃと、辺部３０ｃの辺部３０ｂ側とは反対側の端部から連設された略円弧状の辺部３０ｄと、辺部３０ｄの辺部３０ｃ側とは反対側の端部から連設された直線状の辺部３０ｅと、辺部３０ｅの辺部３０ｄ側とは反対側の端部から連設された略円弧状の辺部３０ｆと、辺部３０ｆの辺部３０ｅとは反対側の端部から連設された略円弧状の辺部３０ｇと、一対の辺部３０ｇ間に形成された直線状の辺部３０ｈとにより囲まれた形状を呈している。辺部３０ｂ、３０ｃ、３０ｄ、３０ｅ、３０ｆ、３０ｇはそれぞれ一対設けられている。
【００３５】
辺部３０ｂは、一対の辺部３０ｂ間の間隔が上側にいくほど長くなるように辺部３０ａに対して傾斜して形成されている。つまり、辺部３０ａと辺部３０ｂ間の角度α１３は、鈍角を形成する。なお、角度α１１と角度α１３とは、同一（略同一としてもよい）に形成されている。辺部３０ｃは、辺部３０ｄ側にいくほど上側となるとともに内側となるように辺部３０ａの方向に対して傾斜している。辺部３０ｄは、辺部３０ｄ側にいくほど接線の辺部３０ａの方向に対する傾斜角度が小さくなるように略円弧状に形成されている。また、辺部３０ｅは、辺部３０ａと平行に形成されている。また、辺部３０ｆは、辺部３０ｇ側にいくほど接線の辺部３０ａの方向に対する傾斜角度が大きくなるように略円弧状に形成され、また、辺部３０ｇは、辺部３０ｈ側にいくほど接線の辺部３０ａの方向に対する傾斜角度が小さくなるように略円弧状に形成されている。また、辺部３０ｈは、辺部３０ａと平行に形成されている。
【００３６】
また、側面部３０には、一対の切込みＫ１０が間隔を介して形成されている。一対の切込みＫ１０は互いに左右線対称に形成されている。
【００３７】
切込みＫ１０は、切込みＫ１０の上端から下端まで連続した切込みにより形成されていて、切込みＫ１０は、切込みＫ１１と、切込みＫ１１の上側の端部から連設された切込みＫ１２と、切込みＫ１２の切込みＫ１１側とは反対側の端部から連設された切込みＫ１３と、切込みＫ１３の切込みＫ１２側とは反対側の端部から連設された切込みＫ１４とを有していて、一対の切込みＫ１１の下端を結ぶ折れ線Ｃ５０と、一対の切込みＫ１４の上端（切込みＫ１３側とは反対側の端部）を結ぶ折れ線Ｃ５４と、切込みＫ１０に沿った辺部によって囲まれた領域が棚部５０となり、側面部３０における棚部５０以外の領域が側面部本体４０となる。折れ線Ｃ５０と折れ線Ｃ５４は互いに平行であり、ともに辺部３０ａの方向と平行となっている。
【００３８】
切込みＫ１１、Ｋ１２、Ｋ１３、Ｋ１４はともに直線状を呈し、切込みＫ１１は、上側にいくほど外側となるように（左側面側の切込みＫ１１は上側にいくほど左側面側となり、右側面側の切込みＫ１１は上側にいくほど右側面側となる）辺部３０ａの方向に対して傾斜して形成され、切込みＫ１２は、上側にいくほど内側となるように（左側面側の切込みＫ１１は上側にいくほど右側面側となり、右側面側の切込みＫ１１は上側にいくほど左側面側となる）辺部３０ａの方向に対して傾斜して形成され、切込みＫ１３は、上側にいくほど外側となるように辺部３０ａの方向に対して傾斜して形成され、切込みＫ１４は、切込みＫ１３とは反対側にいくほど内側となるように辺部３０ａの方向に対して傾斜して形成されている。
【００３９】
切込みＫ１２は、切込みＫ１１、Ｋ１３、Ｋ１４に比べて短く形成され、切込みＫ１１、Ｋ１３、Ｋ１４の長さの略１／６程度の長さに形成され、切込みＫ１１、Ｋ１３、Ｋ１４は略同一の長さに形成されている。
【００４０】
切込みＫ１２の切込みＫ１１側の端部と、切込みＫ１４の切込みＫ１３とは反対側の端部とは、左右方向に略同一の位置に形成され、棚部５０の組立て状態において、棚部５０の上側領域５４の辺部５４ｃの基端が、爪部４２Ｔ（辺部４２ｃと辺部４２ｂにより内側に突出した爪部）に係止するようになっている。
【００４１】
側面部本体４０においては、辺部３０ｂの上端を結ぶ折れ線（直線状の折れ線）Ｃ４０が辺部３０ａと平行に形成され、該折れ線Ｃ４０は、辺部３０ｂの上端と辺部４２ｃ（切込みＫ１３に沿った辺部）の上端の間に形成され、折れ線Ｃ４０は、左右両側にそれぞれ形成されている。側面部本体４０において、折れ線Ｃ４０よりも基端側（底面部１０側）の領域が下側領域（第１下側領域）４２となり、折れ線Ｃ４０よりも先端側の領域が上側領域（第１上側領域）４４となる。
【００４２】
下側領域４２は、棚部５０と隣接した辺部４２ａ、４２ｂ、４２ｃを左右両側に有していて、辺部４２ａは切込みＫ１１に沿った辺部であり、辺部４２ｂは切込みＫ１２に沿った辺部であり、辺部４２ｃは切込みＫ１３に沿った辺部である。
【００４３】
一対の辺部（第２辺部）４２ｃは、下方にいくに従い一対の辺部４２ｃ間の距離が短くなるようにテーパ状に形成され、一対の辺部（第３辺部）４２ｂは、辺部４２ｃの下端から離れるに従い一対の辺部４２ｂ間の距離が長くなるように形成されている。つまり、一対の辺部４２ｂは、辺部４２ｃの下端から離れるに従い外側に形成され、辺部４２ｃの下側部分（辺部４２ｃの下端を含む辺部４２ｃの下側の範囲）と辺部４２ｂとで爪部４２Ｔが形成される。なお、爪部４２Ｔを構成する辺部４２ｃの下側部分は、例えば、辺部４２ｃにおける下端から辺部４２ｃと折れ線Ｃ５２の接点までの部分といえ、辺部４２ｃの下端から該接点までの途中位置までの部分としてもよい。
【００４４】
上側領域４４は、棚部５０と隣接した辺部４２ｄを左右両側に有していて、辺部４２ｄは、切込みＫ１４に沿って辺部である。なお、上側領域４４は、辺部３０ｆ、３０ｇ、３０ｈにより上方に突出した突状部４４−１を有している。
【００４５】
また、棚部（支持部としてもよい）５０においては、折れ線Ｃ５０と折れ線Ｃ５４の間の位置に、折れ線Ｃ５０及び折れ線Ｃ５４と平行な折れ線Ｃ５２が設けられ、棚部５０における折れ線Ｃ５０と折れ線Ｃ５２間の領域が下側領域５２となり、折れ線Ｃ５２と折れ線Ｃ５４間の領域が上側領域５４となる。棚部５０は、側面部３０における側面部本体４０よりも内側の領域に設けられている。
【００４６】
なお、折れ線Ｃ５２の形成位置は、切込みＫ１３の一方の端部から他方の端部までの途中位置であり、これにより、折れ線Ｃ５２の高さ方向の位置が、折れ線Ｃ４０の高さ方向の位置よりも低い位置に形成されている。なお、折れ線Ｃ５２と折れ線Ｃ５０間の長さと折れ線Ｃ５２と折れ線Ｃ５４間の長さは同一（略同一としてもよい）となっている。
【００４７】
下側領域（第２下側領域）５２は、側面部本体４０の下側領域４２と隣接した辺部５２ｂ、５２ｃ、５２ｄを左右両側に有していて、辺部５２ｂは切込みＫ１１に沿った辺部であり、辺部５２ｃは切込みＫ１２に沿った辺部であり、辺部５２ｄは切込みＫ１３の一部に沿った辺部である。下側領域５２は、折れ線Ｃ５０と一致した辺部５２ａと、辺部５２ｂ、５２ｃ、５２ｄと、折れ線Ｃ５２と一致した辺部５２ｅにより囲まれた形状を呈している。
【００４８】
また、上側領域（第２上側領域）５４は、側面部本体４０の下側領域４２と隣接した辺部５４ｂと、側面部本体４０の上側領域４４と隣接した辺部５４ｃとを左右両側に有していて、辺部５４ｂは切込みＫ１３の一部に沿った辺部であり、辺部５４ｃは切込みＫ１４に沿った辺部である。上側領域５４は、折れ線Ｃ５２と一致した辺部５４ａと、辺部５４ｂ、５４ｃと、折れ線Ｃ５４と一致した辺部５４ｄにより囲まれた形状を呈している。辺部５４ｃは、折れ線Ｃ５４側から辺部５４ｂ側に向けて外側となるように傾斜しており、上側領域５４は、辺部５４ｃに沿った領域においては、基端側（折れ線Ｃ５４側）から先端側にいくに従い左右方向の長さが長くなる（つまり、幅広となる）ように形成され、辺部５４ｂに沿った領域においては、先端側にいくに従い左右方向の長さが短くなる（つまり、幅狭となる）ように形成されている。
【００４９】
一対の辺部（第１辺部）５４ｃは、折れ線Ｃ５４側から折れ線Ｃ４０側にいくに従い一対の辺部５４ｃ間の距離が長くなるようにテーパ状に形成されている。
【００５０】
なお、正面側（Ｙ１側）の側面部３０（折れ線Ｃ１４から連設された側面部３０）は、背面側の側面部３０とは前後線対称（Ｘ１−Ｘ２方向（辺部１０ｃ、１０ｄと平行な方向）の中心線を介して線対称）である以外は同一の構成であるので、詳しい説明を省略する。
【００５１】
また、糊代部６０は、側面部３０の辺部３０ｂ（つまり、下側領域４２の左右両側の辺部）から折れ線を介して連設され、略台形形状を呈している。この糊代部６０は、側面部２０の外側の面に接着されている（側面部２０の内側の面に接着してもよい）。これにより、トレー５を組み立てた状態では、側面部２０の辺部２０ｂは、側面部３０の辺部３０ｂに接し、辺部２０ｂは辺部３０ｂに沿った状態となっている。なお、図３において、１つの側面部３０の両側に連設されている糊代部６０は左右線対称に形成され、前後方向に対応している糊代部６０は、前後線対称に形成されている。
【００５２】
トレー５は、図３に示す展開状態において、全体に左右線対称かつ前後線対称に形成されているといえる。
【００５３】
トレー５は、通常状態（下側領域４２と上側領域４４とを面一とするとともに、下側領域５２と上側領域５４とを面一とした状態（つまり、側面部３０が折れ線Ｃ４０や折れ線Ｃ５２を介して折曲されておらず側面部３０が１枚の平板状とした状態）で、図１、図２に示す状態）において、側面部２０と側面部３０は底面部１０に対して外側に向けて傾斜し、側面部２０と側面部３０の内側の面とは、底面部１０の上面に対して鈍角をなし、２つの側面部２０間の間隔は、上側にいくほど長くなり、２つの側面部３０間の間隔は、上側にいくほど長くなる。つまり、トレー５においては、上方にいくほど横断面積が大きくなるように形成されている。
【００５４】
なお、トレー５においては、折れ線に沿って罫線が形成され、具体的には、トレー５の内側となる面側から押圧した押罫が形成されている。
【００５５】
上記構成のトレー５の使用方法について説明する。まず、通常状態においては、トレー５は、図１、図２に示すように構成されるので、積み重ねた状態で保管や運搬を行なうことができ、この通常状態では、上下に隣接するトレー５の底面部１０は互いに近接した状態となっている。つまり、通常状態では、後述する積重ね可能状態と比べて、上下に隣接するトレー５の底面部１０同士の距離が短くなっている。
【００５６】
この通常状態のトレー５においては、通常のトレーの場合と同様に、内部に被収納物を収納して使用する。通常のトレーの場合と比べると、側面部３０の上端に突状部４４−１が設けられている以外は同様の構成であるので、トレー５を構成するいずれかの部分が突出して邪魔になることがない。特に、上側領域５４を水平に係止するための部材である爪部４２Ｔは、切込みＫ１０を介して棚部５０と隣接しており、爪部４２Ｔを含む側面部３０は、全体に１枚のシート状に形成されているので、爪部４２Ｔが突出して露出することがなく、よって、爪部４２Ｔが邪魔になることがなく、また、爪部４２Ｔが容易に損傷することがない。
【００５７】
次に、トレー５を積重ね可能状態にするには、側面部本体４０の上側領域４４を下側領域４２に対して折れ線Ｃ４０を介して外側に折曲する（回動するとしてもよい）（つまり、上側領域４４の外側の面と下側領域４２の外側の面の間の角度が小さくなるように上側領域４４を下側領域４２に対して折曲し、これにより、側面部本体４０の内側の面から見て折れ線Ｃ４０は山折りとなる）。すると、上側領域４４が下側領域４２に対して外側に折曲するのに伴い、棚部５０の上側領域５４が下側領域５２に対して折れ線Ｃ５２を介して外側に回動する（折曲するとしてもよい）（つまり、上側領域５４の外側の面と下側領域５２の外側の面の間の角度が小さくなるように、上側領域５４が下側領域５２に対して回動し、棚部５０の内側の面から見て折れ線Ｃ５２が山折りとなる）とともに、下側領域５２が側面部本体４０の下側領域４２に対して折れ線Ｃ５０を介して内側に回動し（折曲しとしてもよい）（つまり、下側領域５２の内側の面と下側領域４２の内側の面の間の角度が小さくなるように下側領域５２が下側領域４２に対して回動し、下側領域４２と下側領域５２の内側の面から見て折れ線Ｃ５０が谷折りとなる）、折れ線Ｃ５２が下側領域４２がなす面よりも内側に突出する。つまり、折れ線Ｃ５２の高さ方向の位置が、折れ線Ｃ４０の高さ方向の位置よりも低い位置に形成されているので、上側領域４４を下側領域４２に対して外側に折曲することにより、下側領域５２が下側領域４２に対して内側に回動するとともに、上側領域５４が下側領域５２に対して外側に回動する。このように、上側領域４４を下側領域４２に対して外側に折曲することにより、下側領域５２が下側領域４２に対して内側に回動するとともに、上側領域５４が下側領域５２に対して外側に回動するので、上側領域５４を水平に近い状態とすることができ、以後に上側領域５４を下方に押し込む操作が容易となる。
【００５８】
さらに、上側領域４４を下側領域４２に対して折れ線Ｃ４０を介して外側に折曲することにより、上側領域４４が上側領域５４に対して外側に回動する（折曲するとしてもよい）（つまり、上側領域４４と上側領域５４の内側の面から見て折れ線Ｃ５４が山折りとなる）。なお、この時点では、上側領域５４は外側に向けて下方となるように若干傾斜した状態（上側領域５４の折れ線Ｃ５４側の端部が折れ線Ｃ５２側の端部よりも下方となる状態）となっている。
【００５９】
そして、図６に示すように、上側領域５４（特に、上側領域５４の内側（折れ線Ｃ５２側）の端部）を下方に押し込むことにより、下側領域５２が下側領域４２に対してさらに内側に回動し、下側領域５２と上側領域５４間の角度も小さくなり、上側領域５４の辺部５４ｃが下側領域４２の辺部４２ｃに接しながら下方にスライドしていき、上側領域５４の辺部５４ｃ（上側領域５４の両側の辺部で折れ線Ｃ５４に沿った辺部５４ｄから連設された辺部）が爪部４２Ｔに係止する。
【００６０】
上側領域５４の辺部５４ｃが爪部４２Ｔに係止した状態では、上側領域５４が水平方向（略水平方向としてもよい）となり（図９〜図１１参照）、上側領域５４は底面部１０に対して平行（略平行としてもよい）となる（底面部１０の上面の方向に対して平行（略平行としてもよい）となるとしてもよい）。また、上側領域５４の辺部５４ｃが爪部４２Ｔに係止した状態では、上側領域４４は、先端側が底面部１０の上面の方向に対して外側への斜め下向きとなり、折れ線Ｃ４０を通る仮想垂直面（底面部１０の方向に対して垂直の面）を介して下側領域４２と面対称（略面対称としてもよい）となる。このようにして、棚部５０の上側領域５４が水平状態（略水平状態としてもよい）で固定される。また、下側領域５２は、図１１に示すように、上側領域５４に対して下方に傾斜するとともに、底面部１０に対する直角方向に対して内側に傾斜した状態で、上側領域５４の内側の端部を支持し、上側領域５４の外側の端部は、上側領域４４に支持されている。つまり、図１１に示すように、下側領域５２と上側領域５４と下側領域４２とで三角形が形成される。特に、上側領域５４が下側領域５２と上側領域４４により支持されるので、重量の大きな物が上側領域５４に載置されても該重量の大きな物を支持することができ、被収納物の重量が大きい場合やトレー５を多段に積み上げる場合にも支障がない。
【００６１】
なお、上側領域５４が爪部４２Ｔに係止した状態では、上側領域５４の先端（折れ線Ｃ５２側の端部）は、上面視において、底面部１０の辺部よりも内側に突出している。つまり、辺部１０ｃから連設された側面部３０においては、上側領域５４の先端は、上面視において、辺部１０ｃよりも内側に突出し、辺部１０ｄから連設された側面部３０においては、上側領域５４の先端は、上面視において、辺部１０ｄよりも内側に突出している。つまり、上側領域５４が爪部４２Ｔに係止した状態では、上側領域５４の折れ線Ｃ５２側の端部は、上面視において、底面部の辺部１０ｃ又は辺部１０ｄで、上側領域５４から下側領域５２を介して連設された下側領域４２の下辺に沿った辺部よりも内側に突出する。これにより、２つの上側領域５４の上面にトレー５の底面部１０を載置することができ、トレー５に蓋を設けなくても、トレー５を積み上げることができる。
【００６２】
また、上側領域５４の両側の辺部５４ｃは、一対の辺部５４ｃ間の距離が下方にいくに従い長くなるように折れ線Ｃ５４に対して鈍角をなして傾斜し、一対の辺部５４ｃは、下方に行くに従い一対の辺部５４ｃ間の距離が長くなるようにテーパ状に形成されているので、辺部５４ｃが爪部４２Ｔに係止した際に強く係止することができる。
【００６３】
また、下側領域４２の辺部４２ｃは、一対の辺部４２ｃ間の距離が下方（つまり、爪部４２Ｔ側）にいくに従い短くなるように折れ線Ｃ４０に対して鈍角をなして傾斜し、一対の辺部４２ｃは、下方にいくに従い一対の辺部４２ｃ間の距離が短くなるようにテーパ状に形成されているが、一対の辺部５４ｃもテーパ状に形成されているので、上側領域５４の辺部５４ｃが下側領域４２の辺部４２ｃに接しながら下方にスライドする際に、支障なくスライドすることができる。
【００６４】
以上のように、上側領域５４を爪部４２Ｔに係止して、上側領域５４を水平方向（略水平方向としてもよい）にすることにより、図７〜図１１に示す状態となり、トレー５を積重ね可能状態とすることができる。
【００６５】
爪部４２Ｔは、下側領域４２において上向きに開口した切欠き（折れ線Ｃ５０に沿った辺部と辺部４２ａ〜４２ｃにより形成された切欠き）の左右両側に形成されているので、積重ね可能状態においても爪部４２Ｔが外部に突出して露出することがなく、爪部４２Ｔが邪魔になることがなく、また、爪部４２Ｔが容易に損傷することがない。
【００６６】
積重ね可能状態では、上側領域５４が底面部１０と平行（略平行としてもよい）となっているので、上側領域５４の上に他のトレー５の底面部１０を載せることにより、図１２に示すように、２つのトレー５を積み重ねることができる。つまり、２つの上側領域５４が、他のトレー５の底面部１０を載置して他のトレー５を支持するための台部となる。
【００６７】
なお、トレー５においては、上方にいくほど横断面積が大きくなるように形成されているので、上側のトレー５を下側のトレー５に載置する際に、前後方向の位置を一対の上側領域５４の上に載置するように調整すれば、左右方向への位置ずれは許容される。
【００６８】
また、積重ね可能状態において、側面部２０の上端は上側領域５４の上面よりも高い位置にあるので、上側に積み重ねたトレー５は、左右方向にスライドした場合に側面部２０に接触して、上側のトレー５が下側のトレー５から脱落するのを防止することができる。同様に、積重ね可能状態において、下側領域４２の上端は上側領域５４の上面よりも高い位置にあるので、上側に積み重ねたトレー５は、下側のトレー５の一対の上側領域５４に載置されていれば、前後方向にスライドした場合に下側領域４２に接触して、上側のトレー５が下側のトレー５から脱落するのを防止することができる。
【００６９】
積重ね可能状態のトレー５の上にトレー５を積み重ねることにより、通常状態のトレー５を積み重ねた場合に比べて、下側のトレー５の底面部１０と上側のトレー５の底面部１０間の長さを長く確保することができ、下側のトレー５に収納空間を確保した状態で、トレー５を積み重ねることができる。
【００７０】
なお、実際には、通常状態のトレー５（１番目のトレー５とする）に被収納部を収納し、その後、該トレー５を積重ね可能状態とし、その後、通常状態のトレー５（２番目のトレー５とする）を１番目のトレー５に積み重ねた状態で、被収納物を収納して、該２番目のトレー５を積重ね可能状態にするという操作を繰り返して、トレー５を積み重ねていけばよい。なお、通常状態のトレー５を積重ね可能状態のトレー５に積み重ねた状態で被収納物を収納するとしたが、被収納物を収納した後に積重ね可能状態としたトレー５を積み重ねてもよい。また、被収納物を収納してから積重ね可能状態とするとしたが、積重ね可能状態としてから被収納物を収納してもよい。
【００７１】
なお、積重ね可能状態において、上側領域５４には他のトレー５を載置するとしたが、当然上側領域５４には他の物品を載置してもよい。
【００７２】
以上のように、本実施例のトレー５によれば、通常状態及び積重ね可能状態において、爪部４２Ｔ（つまり、側面部３０の一部を水平に係止するための部材）が邪魔になることがなく、また、爪部４２Ｔが容易に損傷することがない。これに対して、特許文献２における切欠き９の上側部分や係止用つめ１１は、外側に露出して突出しているので、邪魔となり（つまり、通常の使用に際して、手、周辺物品（棚、テーブル等）にぶつける可能性があり、邪魔となる）損傷のおそれがあるが、本実施例における爪部４２Ｔはそのようなおそれがない。
【００７３】
また、上側領域５４（略水平とされた側面部３０の一部）は、積重ね可能状態では、内側に突出した状態にはなるが、トレー５の外側に突出するものではないため、邪魔にはならない。つまり、上側領域５４は、下側領域４２よりも外側には突出するが、上側領域４４よりも外側に突出することはない。これに対して、特許文献１のフランジ３は、フランジ３を水平にした状態では、外側に突出するので、邪魔となる（つまり、通常の使用に際して、手、周辺物品（棚、テーブル等）にぶつける可能性があり、邪魔となる）。
【００７４】
また、上側領域５４の両側の辺部５４ｃを爪部４２Ｔに係止させることにより、上側領域５４を水平に固定できるので、上側領域５４を強固に固定することができる。つまり、上記特許文献１のトレー状容器の場合に比べて、上側領域５４（他のトレー５を載置する部材）を強固に係止させることができる。
【００７５】
また、側面部３０において、下側領域５２と上側領域５４を有する棚部５０は、折れ線Ｃ５０、Ｃ５２、Ｃ５４と一対の切込みＫ１０により区画された構成であるので、側面部３０を通常のトレーと同様の見栄えとすることができ、トレー５全体としても、側面部３０が側面部２０よりも上方に突出している以外は、通常のトレーと同様の見栄えとすることができる。また、棚部５０は、折れ線Ｃ５０、Ｃ５２、Ｃ５４と一対の切込みＫ１０により区画された構成であるので、側面部３０の製造コストは大きくなく、トレー５全体としても製造コストが大きくない。
【００７６】
なお、側面部３０には、一対の切込みＫ１０が形成されているとしたが、切込みではなく、切断予定線としてもよく、結果として、切込み又は切断予定線からなる切目線であればよい。なお、切込みＫ１０を切断予定線により形成する場合には、トレー５を積重ね可能状態にする際に該切断予定線を破断し、例えば、側面部本体４０の上側領域４４を下側領域４２に対して折れ線Ｃ４０を介して外側に折曲する際に破断する。
【００７７】
なお、図面において、Ｙ１−Ｙ２方向は、Ｘ１−Ｘ２方向に直角な方向である。
【実施例２】
【００７８】
上記実施例１におけるトレー５においては、側面部３０から連設された糊代部６０が側面部２０に接着されているとして説明したが、糊代部６０の代わりに、側面部３０と側面部２０から連設された折込み片部としてもよい。
【００７９】
すなわち、図１３に示すように、実施例２のトレー１０５の展開状態において、側面部３０の辺部３０ｂと側面部２０の辺部２０ｂ間には、折込み片部７０が設けられ、折込み片部７０は、側面部３０の辺部３０ｂから折れ線（辺部３０ｂに沿った折れ線）を介して連設されるとともに、側面部３０の辺部２０ｂの折れ線（辺部２０ｂに沿った折れ線）を介して連設され、辺部３０ｂに沿った辺部と、辺部２０ｂに沿った辺部と、辺部３０ｂの上端と辺部２０ｂの上端とを結ぶ直線状の辺部により囲まれた三角形状を呈している。
【００８０】
また、折込み片部７０には、底面部１０の角部（辺部３０ｂと辺部２０ｂの接点）から伸びた折れ線Ｃ７０が直線状に形成され、辺部３０ｂと折れ線Ｃ７０間の角度α７１と、辺部２０ｂと折れ線Ｃ７０間の角度α７２は同一に形成されている。折込み片部７０は、この折れ線Ｃ７０を介して外側片部７０ａと内側片部７０ｂに区画されている。
【００８１】
トレー１０５は、図１３に示す展開状態において、全体に左右線対称かつ前後線対称に形成されているといえる。
【００８２】
トレー１０５を組み立てた状態では、折込み片部７０は、折れ線Ｃ７０を介して二つ折りの状態となり、内側片部７０ｂが、側面部２０に対して外側に折り返されて、側面部２０の外側の面に接着される。このようにして、側面部２０、３０は底面部１０に対して立設した状態となり、辺部３０ｂは辺部２０ｂとは接し、辺部３０ｂは辺部２０ｂに沿った状態となる。
【００８３】
実施例２のトレー１０５における上記以外の構成は、実施例１のトレー５と同様であるので、詳しい構成を省略する。なお、トレー１０５の使用方法や作用、効果は、実施例１のトレー５と同様であるので、詳しい説明を省略する。
【実施例３】
【００８４】
上記実施例１におけるトレー５や実施例２におけるトレー１０５においては、底面部１０は方形状であるが、底面部は、互いに平行な相対する２つ辺部を有する形状であれば他の形状であってもよい。
【００８５】
例えば、図１４に示すように、実施例３のトレー２０５において、底面部１０は八角形を呈し、辺部１０ａ〜１０ｈを有し、辺部１０ａと辺部１０ｂは互いに平行であり、辺部１０ｃと辺部１０ｄは互いに平行であり、辺部１０ｅと辺部１０ｆは互いに平行であり、辺部１０ｇと辺部１０ｈは互いに平行となっている。辺部１０ａ、１０ｂは、辺部１０ｃ、１０ｄの方向と直角の方向に形成されている。
【００８６】
辺部１０ｃから折れ線を介して連設された側面部３０における下側領域４２においては、両側の側辺である辺部３０ｂと辺部１０ｃとの角度α１３は、直角（略直角としてもよい）となっている。
【００８７】
また、側面部３０の両側の辺部３０ｂからは折れ線を介して側面部８０が連設され、側面部８０は、上辺が下辺よりも長い台形形状を呈し、側面部８０の側辺と下辺がなす角度α１４、α１５はともに鈍角に形成されている。また、側面部８０の下辺の長さは、辺部１０ｅの長さと同一（略同一としてもよい）に形成されている。
【００８８】
また、側面部８０の側面部３０とは反対側の側辺からは折れ線を介して糊代部６０が連設され、この糊代部６０は、側面部２０の外側の面に接着されている（側面部２０の内側の面に接着してもよい）。これにより、側面部２０の辺部２０ｂは、側面部８０の糊代部６０側の側辺に接し、辺部２０ｂは側面部８０の糊代部６０側の側辺に沿った状態となっている。
【００８９】
なお、図１４において、底面部１０における正面側（Ｙ１側）の辺部１０ｄから折れ線を介して連設された各部（側面部３０と側面部８０と糊代部６０）の構成は、底面部１０における背面側（Ｙ２側）の辺部１０ｃから連設された各部（側面部３０と側面部８０と糊代部６０）の構成と前後線対象（Ｘ１−Ｘ２方向（辺部１０ｃ、１０ｄと平行な方向）の中心線を介して線対称）である以外は同一の構成である。
【００９０】
トレー２０５は、図１４に示す展開状態において、全体に左右線対称かつ前後線対称に形成されているといえる。
【００９１】
トレー２０５を組み立てた状態、すなわち、糊代部６０を側面部２０に接着した状態では、側面部８０の下辺は、底面部１０の辺部１０ｅ、１０ｆ、１０ｇ、１０ｈに沿った状態となっている。
【００９２】
また、トレー２０５を組み立てた状態では、側面部２０と側面部３０と側面部８０は底面部１０に対して外側に向けて傾斜し、側面部２０と側面部３０と側面部８０の内側の面とは、底面部１０の上面に対して鈍角をなしている。
【００９３】
実施例３のトレー２０５における上記以外の構成は、実施例１のトレー５と同様であるので、詳しい構成を省略する。なお、トレー２０５の使用方法や作用、効果は、実施例１のトレー５と同様であるので、詳しい説明を省略する。
【００９４】
なお、上記の各実施例において、折れ線Ｃ４０、Ｃ５０、Ｃ５２、Ｃ５４においては、各折れ線を介した折曲げを容易とするために、折れ線上に間隔を介して複数の切込みを形成するようにしてもよい。
【符号の説明】
【００９５】
５、１０５、２０５  トレー
１０  底面部
１０ａ、１０ｂ、１０ｃ、１０ｄ、１０ｅ、１０ｆ、１０ｇ、１０ｈ、４２ａ、４２ｂ、４２ｃ、５２ａ、５２ｂ、５２ｃ、５２ｄ、５２ｅ、５４ａ、５４ｂ、５４ｃ、５４ｄ  辺部
２０、３０、８０  側面部
４０  側面部本体
４２、５２  下側領域
４２Ｔ  爪部
４４、５４  上側領域
５０  棚部
６０  糊代部
７０  折込み片部
７０ａ  外側片部
７０ｂ  内側片部
Ｃ１１、Ｃ１２、Ｃ１３、Ｃ１４、Ｃ４０、Ｃ５０、Ｃ５２、Ｃ５４、Ｃ７０  折れ線
Ｋ１０  切込み
【図１】
2017119532.tif 000003
【図２】
2017119532.tif 000004
【図３】
2017119532.tif 000005
【図４】
2017119532.tif 000006
【図５】
2017119532.tif 000007
【図６】
2017119532.tif 000008
【図７】
2017119532.tif 000009
【図８】
2017119532.tif 000010
【図９】
2017119532.tif 000011
【図１０】
2017119532.tif 000012
【図１１】
2017119532.tif 000013
【図１２】
2017119532.tif 000014
【図１３】
2017119532.tif 000015
【図１４】
2017119532.tif 000016